(57)【要約】【課題】屈曲の度合いが比較的大きな屈曲部位を効率よく清掃または洗浄するのに適した清掃用ブラシを提供する。【解決手段】清掃用ブラシＡ１は、長状の柄１と、当該柄１の先端に取り付けられたブラシ部材２と、を備え、ブラシ部材２は、厚さ方向において互いに反対を向く第１面２１ａおよび第２面２１ｂを有する板状のベース部２１と、当該ベース部２１の第１面２１ａから突出する多数のブラシ毛２２と、を有する。ベース部２１は、他の部位よりも厚さ寸法が小とされた薄肉部２１２を含み、多数のブラシ毛２２は、ベース部２１の薄肉部２１２および上記他の部位に跨って設けられている。【選択図】図５
2020014649.tif 000002
【特許請求の範囲】
【請求項１】
長状の柄と、当該柄の先端に取り付けられたブラシ部材と、を備え、
上記ブラシ部材は、厚さ方向において互いに反対を向く第１面および第２面を有する板状のベース部と、当該ベース部の上記第１面から突出する多数のブラシ毛と、を有し、
上記ベース部は、他の部位よりも厚さ寸法が小とされた薄肉部を含み、
上記多数のブラシ毛は、上記ベース部の上記薄肉部および上記他の部位に跨って設けられている、清掃用ブラシ。
【請求項２】
上記ブラシ部材は、上記ベース部の上記第２面が上記柄の長手軸線周りに巻き付けられた姿勢で上記柄に固定されている、請求項１に記載の清掃用ブラシ。
【請求項３】
上記薄肉部は、所定幅をもって上記長手軸線に対して交差状に延びる、請求項２に記載の清掃用ブラシ。
【請求項４】
上記薄肉部は、上記長手軸線を挟んだ両側において、上記柄の先端から上記長手軸線に沿って遠ざかるにつれて上記長手軸線から離れるように湾曲する、請求項３に記載の清掃用ブラシ。
【請求項５】
上記薄肉部は、上記柄の先端に対応する形状とされた先端対応部を有する、請求項２ないし４のいずれかに記載の清掃用ブラシ。
【発明の詳細な説明】
【技術分野】
【０００１】
本発明は、清掃用ブラシに関し、たとえば飲料用容器の内面などの屈曲部位を清掃または洗浄するのに適した清掃用ブラシに関する。
【背景技術】
【０００２】
便器や流し台などの屈曲部位を清掃または洗浄するための清掃用ブラシとして、多数のブラシ毛を具備するものが知られている（たとえば、特許文献１を参照）。特許文献１に記載された清掃用ブラシは、長状の柄（２０）と、この柄の先端に支持されたブラシ部（１０）と、を備えている。ブラシ部は、複数のブロック状の基台（１）がブリッジ部（３）により相互に連結された構成とされている。各基台（１）には複数のブラシ毛が植設されている。ブリッジ部は、基台よりも厚さ寸法が小さい薄肉とされており、当該ブリッジ部が弾性変形しうる。
【０００３】
このような構成の清掃用ブラシを使用する際、清掃対象の屈曲部位に多数のブラシ毛を押し付けることでブリッジ部が適宜弾性変形して複数の基台が屈曲し、多数のブラシ毛の先端清掃面を清掃対象の屈曲部位に沿わせることができる。
【０００４】
その一方、上記特許文献１に記載の清掃用ブラシにおいては、同文献の図３にも表されるように、複数の基台が屈曲した状態では、隣接する基台におけるブラシ毛の植設部位の間隔が大きくなる。このような状態では、たとえば飲料用容器の底部などの湾曲あるいは屈曲の度合いが比較的大きな部位に対して、ブラシ毛の先端清掃面を沿わせることができない。したがって、上記従来の構造では、屈曲の度合いが比較的大きな屈曲部位を清掃または洗浄することができず、改善の余地があった。
【先行技術文献】
【特許文献】
【０００５】
【特許文献１】特許第５０１１７６２号公報
【発明の概要】
【発明が解決しようとする課題】
【０００６】
本発明は、このような事情のもとで考え出されたものであって、屈曲の度合いが比較的大きな屈曲部位を効率よく清掃または洗浄するのに適した清掃用ブラシを提供することを主たる課題とする。
【課題を解決するための手段】
【０００７】
上記の課題を解決するため、本発明では、次の技術的手段を講じている。
【０００８】
本発明によって提供される清掃用ブラシは、長状の柄と、当該柄の先端に取り付けられたブラシ部材と、を備え、上記ブラシ部材は、厚さ方向において互いに反対を向く第１面および第２面を有する板状のベース部と、当該ベース部の上記第１面から突出する多数のブラシ毛と、を有し、上記ベース部は、他の部位よりも厚さ寸法が小とされた薄肉部を含み、上記多数のブラシ毛は、上記ベース部の上記薄肉部および上記他の部位に跨って設けられている。
【０００９】
好ましい実施の形態においては、上記ブラシ部材は、上記ベース部の上記第２面が上記柄の長手軸線周りに巻き付けられた姿勢で上記柄に固定されている。
【００１０】
好ましい実施の形態においては、上記薄肉部は、所定幅をもって上記長手軸線に対して交差状に延びる。
【００１１】
好ましい実施の形態においては、上記薄肉部は、上記長手軸線を挟んだ両側において、上記柄の先端から上記長手軸線に沿って遠ざかるにつれて上記長手軸線から離れるように湾曲する。
【００１２】
好ましい実施の形態においては、上記薄肉部は、上記柄の先端に対応する形状とされた先端対応部を有する。
【００１３】
本発明のその他の特徴および利点は、添付図面を参照して以下に行う詳細な説明によって、より明らかとなろう。
【図面の簡単な説明】
【００１４】
【図１】本発明に係る清掃用ブラシの一例を示す正面図である。
【図２】図１に示した清掃用ブラシの右側面図である。
【図３】図１に示した清掃用ブラシの背面図である。
【図４】図１に示した清掃用ブラシの底面図である。
【図５】図１のＶ−Ｖ線に沿う部分拡大断面図である。
【図６】ブラシ部材の自然状態を示す正面図である。
【図７】図６に示したブラシ部材の背面図である。
【図８】図６のＶＩＩＩ−ＶＩＩＩ線に沿う拡大断面図である。
【図９】図１に示した清掃用ブラシの使用状態を示す図である。
【図１０】図１に示した清掃用ブラシの使用状態を示す図である。
【発明を実施するための形態】
【００１５】
以下、本発明の好ましい実施の形態について、図面を参照して具体的に説明する。
【００１６】
図１〜図６は、本発明に係る清掃用ブラシの一例を示す。本実施形態の清掃用ブラシＡ１は、柄１およびブラシ部材２を備える。
【００１７】
図１〜図３に示すように、柄１は長手軸線Ｏｘに沿って延びた長棒状とされている。柄１の基端（図中上方）には、清掃用ブラシＡ１を吊り下げるための貫通孔１１が設けられている。柄１の先端には、ブラシ部材２を取り付けるための取付部１２が設けられている。取付部１２の詳細については後述する。
【００１８】
ブラシ部材２は、板状のベース部２１および多数のブラシ毛２２を有し、柄１の先端（取付部１２）に取り付けられている。図６〜図８に示すように、ベース部２１は、自然状態において平板状であり、厚さ方向において互いに反対を向く第１面２１ａおよび第２面２１ｂを有する。第１面２１ａは、その全体がフラットである。ベース部２１の外周縁は、大半が円弧形状とされている。ベース部２１において、柄１に取り付けられる部位（図６、図７における図中上方）には、一対の貫通孔２１１が設けられている。
【００１９】
図３、図５、図７によく表れているように、ベース部２１は、他の部位よりも厚さ寸法が小とされた薄肉部２１２を含む。薄肉部２１２は、第２面２１ｂの所定部位が凹むことにより形成されている。図７に示すように、薄肉部２１２は、所定幅をもって延びており、第２面２１ｂの正面から見て概略円弧状とされている。より具体的には、薄肉部２１２は、その大部分が図７の上方に凸となるように湾曲している。
【００２０】
薄肉部２１２は、その長手方向（図７の左右方向）における中間位置に先端対応部２１３を有する。先端対応部２１３は、薄肉部２１２の他の部位とは異なり、図７の下方に凸となるように略円弧状に湾曲している。ベース部２１にはまた、中央突起２１４および一対の帯状突起２１５が設けられている。上記先端対応部２１３、中央突起２１４および一対の帯状突起２１５の意義については後述する。
【００２１】
多数のブラシ毛２２は、各々、ベース部２１の第１面２１ａから突出している。これらブラシ毛２２は、基端（ベース部２１側端）から先端までの長さが略均一であり、各々、先端に向かうにつれて横断面の面積が小となる先細り状とされている。多数のブラシ毛２２は、第１面２１ａのベース部２１外周縁近傍および一対の貫通孔２１１近傍を除いた略全域において、満遍なく設けられている。したがって、多数のブラシ毛２２は、ベース部２１において薄肉部２１２および他の部位に跨って設けられている。
【００２２】
上記構成のブラシ部材２は、たとえばポリエチレンなどの比較的軟質な樹脂材料により一体成形されたものである。ブラシ部材２の各部の寸法の一例を挙げると、ベース部２１（薄肉部２１２を除く他の部位）の厚さが１〜２ｍｍ程度、薄肉部２１２の厚さが０．６〜１．６ｍｍ程度、ベース部２１の厚さに対する薄肉部２１２の厚さの割合が５０〜８０％程度、ブラシ毛２２の長さが１０〜２０ｍｍ程度である。
【００２３】
次に、柄１へのブラシ部材２の取り付けについて説明する。
【００２４】
図１〜図５に示すように、ブラシ部材２は、ベース部２１の第２面２１ｂが柄１の長手軸線Ｏｘ周りに巻き付けられた姿勢で柄１に固定される。具体的には、柄１先端の取付部１２には長手軸線Ｏｘと直交する方向に延びる貫通孔１２１が形成されており、ベース部２１（ブラシ部材２）の一対の貫通孔２１１が上記貫通孔１２１と連通するようにベース部２１を湾曲させる。そして、一対のピン１２２を一対の貫通孔２１１の外側から嵌挿させる。これら一対のピン１２２は、たとえば雄雌嵌合により結合されており、離脱防止が図られている。また、取付部１２の適所には凹部１２３が設けられており、ブラシ部材２の中央突起２１４が凹部１２３に嵌まっている。また、一対の帯状突起２１５は、柄１の外周面に面接触する。このようにして、ベース部２１の第２面２１ｂが柄１の長手軸線Ｏｘ周りに巻き付けられた状態が維持される。
【００２５】
ここで、図３によく表れているように、薄肉部２１２は、柄１の長手軸線Ｏｘに対して交差状に延びている。より詳細には、薄肉部２１２は、柄１の長手軸線Ｏｘを挟んだ両側において、柄１の先端から長手軸線Ｏｘに沿って遠ざかるにつれて当該長手軸線Ｏｘから離れるように湾曲する。
【００２６】
また、図３に示すように、ブラシ部材２を背面側から見て、柄１の先端は略円弧状をなしており、上記先端対応部２１３は柄１の先端に対応する形状とされて当該柄１の先端にほぼ沿っている。
【００２７】
次に、本実施形態の作用について図９、図１０を参照して説明する。
【００２８】
本実施形態の清掃用ブラシＡ１は、図９に示すように、たとえば飲料用容器Ｂの内面を洗浄するのに使用される。
【００２９】
本実施形態において、ブラシ部材２における板状のベース部２１は薄肉部２１２を含む。これにより、図１０に示すように、たとえば飲料用容器Ｂの底部の屈曲部位を洗浄する際、柄１に軽い力を加えることで薄肉部２１２が容易に屈曲する。本実施形態においてはまた、ベース部２１の第１面２１ａから突出する多数のブラシ毛２２は、ベース部２１における薄肉部２１２および他の部位に跨って設けられている。このような構成によれば、屈曲する薄肉部２１２に設けられたブラシ毛２２の存在により、清掃対象（飲料用容器Ｂ）において屈曲度合いが比較的大きな屈曲部位に対して、ブラシ毛２２の先端清掃面を沿わせることができる。したがって、本実施形態によれば、屈曲の度合いが比較的大きな屈曲部位を効率よく清掃または洗浄することができる。
【００３０】
ブラシ部材２は、ベース部２１の第２面２１ｂが柄１の長手軸線Ｏｘ周りに巻き付けられた姿勢で柄１に固定されている。このような構成によれば、図４に表れているように、柄１の長手軸線Ｏｘ視において、多数のブラシ毛２２の先端清掃面は略円弧状に湾曲する。これにより、飲料用容器Ｂの洗浄の際、多数のブラシ毛２２の先端清掃面が飲料用容器Ｂの円筒内面にフィットし、飲料用容器Ｂを効率よく洗浄することができる。
【００３１】
薄肉部２１２は、所定幅をもって柄１の長手軸線Ｏｘに対して交差状に延びており、より詳細には、柄１の長手軸線Ｏｘを挟んだ両側において柄１の先端から長手軸線Ｏｘに沿って遠ざかるにつれて当該長手軸線Ｏｘから離れるように湾曲する。このような構成によれば、図３〜図５、図１０を参照すると理解されるように、薄肉部２１２が屈曲すると多数のブラシ毛２２の先端清掃面が概略部分球状となる。したがって、飲料用容器Ｂの底部の屈曲部位を洗浄する際、当該屈曲部位に多数のブラシ毛２２の先端清掃面がフィットし、飲料用容器Ｂをより効率よく洗浄することができる。
【００３２】
本実施形態において、薄肉部２１２は、柄１の先端に対応する形状とされた先端対応部２１３を有する。このような構成によれば、たとえば飲料用容器Ｂの底部の屈曲部位を洗浄する際、柄１を介してブラシ部材２（多数のブラシ毛２２）に押圧力が伝わりやすい。したがって、飲料用容器Ｂの上記屈曲部位を強く擦ることができ、洗浄効率を向上させることができる。
【００３３】
以上、本発明の具体的な実施形態を説明したが、本発明はこれに限定されるものではなく、発明の思想から逸脱しない範囲内で種々な変更が可能である。本発明に係る清掃用ブラシの各部の具体的な構成は、種々に設計変更自在である。
【００３４】
上記実施形態において、清掃用ブラシＡ１を用いて飲料用容器Ｂを洗浄する場合について説明したが、本発明に係る清掃用ブラシは、たとえば流し台、便器や浴槽など他の清掃対象を清掃または洗浄する際に用いることもできる。
【符号の説明】
【００３５】
Ａ１        清掃用ブラシ
Ｂ          飲料用容器
Ｏｘ        長手軸線
１          柄
１１        貫通孔
１２        取付部
１２１      貫通孔
１２２      ピン
１２３      凹部
２          ブラシ部材
２１        ベース部
２１ａ      第１面
２１ｂ      第２面
２１１      貫通孔
２１２      薄肉部
２１３      先端対応部
２１４      中央突起
２１５      帯状突起
２２        ブラシ毛
【図１】
2020014649.tif 000003
【図２】
2020014649.tif 000004
【図３】
2020014649.tif 000005
【図４】
2020014649.tif 000006
【図５】
2020014649.tif 000007
【図６】
2020014649.tif 000008
【図７】
2020014649.tif 000009
【図８】
2020014649.tif 000010
【図９】
2020014649.tif 000011
【図１０】
2020014649.tif 000012